(57)【要約】【課題】電池との温度差を適切に確保可能な冷凍サイクル装置を提供する。【解決手段】制御部６０は、電池冷却部１９、２５、５２に流入する冷媒の温度が電池８０の温度よりも低くなるように、入口側減圧部１４ｃおよび出口側減圧部１４ｄのうち少なくとも入口側減圧部１４ｃで冷媒を減圧させる電池冷却モードと、電池冷却部１９、２５、５２に流入する冷媒の温度が電池８０の温度よりも高くなるように、入口側減圧部１４ｃおよび出口側減圧部１４ｄのうち少なくとも１つの減圧部で冷媒を減圧させる電池加熱モードとを切り替え、電池加熱モードでは、電池８０の温度が高くなるにつれて電池冷却部１９、２５、５２に流入する冷媒の圧力が高くなるように入口側減圧部１４ｃおよび出口側減圧部１４ｄを制御する。【選択図】図４
2020122621.tif 000002
【特許請求の範囲】
【請求項１】
冷媒を圧縮して吐出する圧縮機（１１）と、
前記圧縮機から吐出された前記冷媒を放熱させる放熱部（１２、４２）と、
前記放熱部から流出した前記冷媒を減圧させ、前記冷媒の減圧量を変化させることが可能な入口側減圧部（１４ｃ）と、
前記入口側減圧部から流出した前記冷媒で電池（８０）を冷却する電池冷却部（１９、２５、５２）と、
前記電池冷却部から流出した前記冷媒を減圧させ、前記冷媒の減圧量を変化させることが可能な出口側減圧部（１４ｄ）と、
前記入口側減圧部および前記出口側減圧部を制御して前記冷媒の減圧量を調整する制御部（６０）とを備え、
前記制御部は、
前記電池冷却部に流入する前記冷媒の温度が前記電池の温度よりも低くなるように、前記入口側減圧部および前記出口側減圧部のうち少なくとも前記入口側減圧部で前記冷媒を減圧させる電池冷却モードと、
前記電池冷却部に流入する前記冷媒の温度が前記電池の温度よりも高くなるように、前記入口側減圧部および前記出口側減圧部のうち少なくとも１つの減圧部で前記冷媒を減圧させる電池加熱モードとを切り替え、
前記電池加熱モードでは、前記電池の温度が高くなるにつれて前記電池冷却部に流入する前記冷媒の圧力が高くなるように前記入口側減圧部および前記出口側減圧部を制御する冷凍サイクル装置。
【請求項２】
前記電池加熱モードは、前記入口側減圧部および前記出口側減圧部のうち前記入口側減圧部のみで前記冷媒を減圧させる低圧加熱モードと、
前記入口側減圧部および前記出口側減圧部の両方で前記冷媒を減圧させる中間圧加熱モードと、
前記入口側減圧部および前記出口側減圧部のうち前記出口側減圧部のみで前記冷媒を減圧させる高圧加熱モードとを含んでおり、
前記制御部は、前記電池の温度が高くなるにつれて前記低圧加熱モード、前記中間圧加熱モード、前記高圧加熱モードの順に切り替える請求項１に記載の冷凍サイクル装置。
【請求項３】
前記放熱部における前記冷媒からの放熱量を調整する放熱量調整部（４１）を備え、
前記制御部は、前記電池加熱モードでは、前記電池冷却モードよりも前記放熱量が少なくなるように前記放熱量調整部を制御する請求項１または２に記載の冷凍サイクル装置。
【請求項４】
前記放熱部における前記冷媒からの放熱量を調整する放熱量調整部（４１）を備え、
前記放熱部は、前記圧縮機から吐出された前記冷媒と、空調対象空間に送風される空気とを熱交換させて前記空気を加熱し、
前記制御部は、
前記放熱部で前記空気を加熱するが前記電池冷却部で前記電池を加熱しない空気加熱単独運転と、
前記放熱部で前記空気を加熱しないが前記電池冷却部で前記電池を加熱する電池加熱単独運転と、
前記放熱部で前記空気を加熱するとともに前記電池冷却部で前記電池を加熱する空気加熱電池加熱モードとを切り替えるように前記入口側減圧部、前記出口側減圧部および前記放熱量調整部を制御する請求項１または２に記載の冷凍サイクル装置。
【請求項５】
前記放熱部から流出した前記冷媒を減圧させ、前記冷媒の減圧量を変化させることが可能な空気冷却用減圧部（１４ｂ）と、
前記空気冷却用減圧部で減圧された前記冷媒と、空調対象空間に送風される空気とを熱交換させて前記空気を冷却する空気冷却部（１８）とを備え、
前記制御部は、
前記空気冷却部で前記空気を冷却するが前記電池冷却部で前記電池を加熱しない空気冷却単独運転と、
前記空気冷却部で前記空気を冷却しないが前記電池冷却部で前記電池を加熱する電池加熱単独運転と、
前記空気冷却部で前記空気を冷却するとともに前記電池冷却部で前記電池を加熱する空気冷却電池加熱運転とを切り替えるように前記入口側減圧部、前記出口側減圧部および前記空気冷却用減圧部を制御する請求項１または２に記載の冷凍サイクル装置。
【請求項６】
前記放熱部から流出した前記冷媒を減圧させ、前記冷媒の減圧量を変化させることが可能な空気冷却用減圧部（１４ｂ）と、
前記空気冷却用減圧部で減圧された前記冷媒と、空調対象空間に送風される空気とを熱交換させて前記空気を冷却する空気冷却部（１８）と、
前記放熱部における前記冷媒からの放熱量を調整する放熱量調整部（４１）とを備え、
前記放熱部は、前記圧縮機から吐出された前記冷媒と、前記空気冷却部で冷却された前記空気とを熱交換させて前記空気を加熱し、
前記制御部は、
前記空気を前記空気冷却部で冷却した後に前記放熱部で加熱するが前記電池冷却部で前記電池を加熱しない除湿暖房単独運転と、
前記空気を前記空気冷却部で冷却せず前記放熱部で加熱しないが前記電池冷却部で前記電池を加熱する電池加熱単独運転と、
前記空気を前記空気冷却部で冷却した後に前記放熱部で加熱するとともに前記電池冷却部で前記電池を加熱する除湿暖房電池加熱運転とを切り替えるように前記入口側減圧部、前記出口側減圧部、前記空気冷却用減圧部および前記放熱量調整部を制御する請求項１または２に記載の冷凍サイクル装置。
【発明の詳細な説明】
【技術分野】
【０００１】
本発明は、電池の温度調整に適用される冷凍サイクル装置に関する。
【背景技術】
【０００２】
従来、特許文献１には、電池を温度調整する冷凍サイクル装置が記載されている。この従来技術では、冷凍サイクル装置をホットガスサイクルとして運転することによって、電池を加熱する。
【先行技術文献】
【特許文献】
【０００３】
【特許文献１】特開２００３−１８４５９６号公報
【発明の概要】
【発明が解決しようとする課題】
【０００４】
本発明者の検討によると、ホットガスサイクルの冷媒で電池を加熱する場合、冷媒と電池との温度差によって圧縮機の仕事量が変化して電池の加熱能力が変化することがわかった。そして、電池の加熱能力が最大となるような適切な温度差があることがわかった。
【０００５】
しかしながら、上記従来技術では、ホットガスサイクルの低圧冷媒で電池を加熱するので、低圧冷媒の温度の調整幅が小さくなってしまう。そのため、電池との温度差を適切に確保するのが困難である。
【０００６】
本発明は上記点に鑑みて、電池との温度差を適切に確保可能な冷凍サイクル装置を提供することを目的とする。
【課題を解決するための手段】
【０００７】
上記目的を達成するため、請求項１に記載の冷凍サイクル装置では、
冷媒を圧縮して吐出する圧縮機（１１）と、
圧縮機（１１）から吐出された冷媒を放熱させる放熱部（１２、４２）と、
放熱部（１２、４２）から流出した冷媒を減圧させ、冷媒の減圧量を変化させることが可能な入口側減圧部（１４ｃ）と、
入口側減圧部（１４ｃ）から流出した冷媒で電池（８０）を冷却する電池冷却部（１９、２５、５２）と、
電池冷却部（１９、２５、５２）から流出した冷媒を減圧させ、冷媒の減圧量を変化させることが可能な出口側減圧部（１４ｄ）と、
入口側減圧部（１４ｃ）および出口側減圧部（１４ｄ）を制御して冷媒の減圧量を調整する制御部（６０）とを備え、
制御部（６０）は、
電池冷却部（１９、２５、５２）に流入する冷媒の温度が電池（８０）の温度よりも低くなるように、入口側減圧部（１４ｃ）および出口側減圧部（１４ｄ）のうち少なくとも入口側減圧部（１４ｃ）で冷媒を減圧させる電池冷却モードと、
電池冷却部（１９、２５、５２）に流入する冷媒の温度が電池（８０）の温度よりも高くなるように、入口側減圧部（１４ｃ）および出口側減圧部（１４ｄ）のうち少なくとも１つの減圧部で冷媒を減圧させる電池加熱モードとを切り替え、
電池加熱モードでは、電池（８０）の温度が高くなるにつれて電池冷却部（１９、２５、５２）に流入する冷媒の圧力が高くなるように入口側減圧部（１４ｃ）および出口側減圧部（１４ｄ）を制御する。
【０００８】
これによると、電池（８０）の温度が高くなるにつれて電池冷却部（１９、２５、５２）に流入する冷媒の温度を高くできるので、電池（８０）との温度差を適切に確保できる。
【０００９】
なお、この欄および特許請求の範囲で記載した各手段の括弧内の符号は、後述する実施形態に記載の具体的手段との対応関係を示すものである。
【図面の簡単な説明】
【００１０】
【図１】第１実施形態における冷凍サイクル装置の全体構成図である。
【図２】第１実施形態における冷凍サイクル装置の電気制御部を示すブロック図である。
【図３】第１実施形態における冷凍サイクル装置の低圧加熱モード時の冷媒の状態の変化を示すモリエル線図である。
【図４】第１実施形態における冷凍サイクル装置の中間圧加熱モード時の冷媒の状態の変化を示すモリエル線図である。
【図５】第１実施形態における冷凍サイクル装置の高圧加熱モード時の冷媒の状態の変化を示すモリエル線図である。
【図６】第１実施形態の制御プログラムの制御処理の一部を示すフローチャートである。
【図７】第１実施形態の制御プログラムの制御処理の一部を示すフローチャートである。
【図８】第１実施形態における冷凍サイクル装置の暖房モード＋低圧加熱モード時の冷媒の状態の変化を示すモリエル線図である。
【図９】第１実施形態における冷凍サイクル装置の暖房モード＋低圧加熱モード時の冷媒の状態の変化を示すモリエル線図である。
【図１０】第２実施形態における冷凍サイクル装置の全体構成図である。
【図１１】第３実施形態における冷凍サイクル装置の全体構成図である。
【発明を実施するための形態】
【００１１】
以下、実施形態について図に基づいて説明する。以下の各実施形態相互において、互いに同一もしくは均等である部分には、図中、同一符号を付してある。
【００１２】
（第１実施形態）
本実施形態では、冷凍サイクル装置１０を、電動モータから走行用の駆動力を得る電気自動車に搭載された車両用空調装置１に適用している。この車両用空調装置１は、空調対象空間である車室内の空調を行うだけでなく、電池８０の温度を調整する機能を有している。このため、車両用空調装置１は、電池温度調整機能付きの空調装置と呼ぶこともできる。
【００１３】
電池８０は、電動モータ等の車載機器へ供給される電力を蓄える二次電池である。本実施形態の電池８０は、リチウムイオン電池である。電池８０は、複数の電池セル８１を積層配置し、これらの電池セル８１を電気的に直列あるいは並列に接続することによって形成された、いわゆる組電池である。
【００１４】
電池８０は、低温になると出力が低下しやすく、高温になると劣化が進行しやすい。このため、電池８０の温度は、電池の充放電容量を充分に活用することができる適切な温度範囲内（本実施形態では、１５℃以上かつ５５℃以下）に維持されている必要がある。
【００１５】
そこで、車両用空調装置１では、冷凍サイクル装置１０によって生成された冷熱によって電池８０を冷却することができるようになっている。電池８０は、冷凍サイクル装置１０における冷却対象物である。
【００１６】
車両用空調装置１は、図１の全体構成図に示すように、冷凍サイクル装置１０、室内空調ユニット３０、高温側熱媒体回路４０等を備えている。
【００１７】
冷凍サイクル装置１０は、車室内の空調を行うために、車室内へ送風される空気を冷却する機能、および高温側熱媒体回路４０を循環する高温側熱媒体を加熱する機能を果たす。さらに、冷凍サイクル装置１０は、電池８０を冷却する機能を果たす。
【００１８】
冷凍サイクル装置１０は、車室内の空調を行うために、様々な運転モード用の冷媒回路を切替可能に構成されている。例えば、冷房モードの冷媒回路、除湿暖房モードの冷媒回路、暖房モードの冷媒回路等を切替可能に構成されている。
【００１９】
冷凍サイクル装置１０は、空調用の各運転モードにおいて、電池８０を冷却する運転モードと電池８０の冷却を行わない運転モードとを切り替えることができる。冷凍サイクル装置１０は、電池８０を加熱する冷媒回路に切り替えることもできる。
【００２０】
冷凍サイクル装置１０では、冷媒としてＨＦＯ系冷媒（具体的には、Ｒ１２３４ｙｆ）を採用しており、圧縮機１１から吐出された吐出冷媒の圧力が冷媒の臨界圧力を超えない蒸気圧縮式の亜臨界冷凍サイクルを構成している。さらに、冷媒には圧縮機１１を潤滑するための冷凍機油が混入されている。冷凍機油の一部は、冷媒とともにサイクルを循環している。
【００２１】
冷凍サイクル装置１０の構成機器のうち、圧縮機１１は、冷凍サイクル装置１０において冷媒を吸入し、圧縮して吐出する。圧縮機１１は、駆動装置室内に配置されている。駆動装置室は、車室の前方に配置されている。駆動装置室には、電動モータ等が収容されている。
【００２２】
圧縮機１１は、吐出容量が固定された固定容量型の圧縮機構を電動モータにて回転駆動する電動圧縮機である。圧縮機１１は、制御装置６０から出力される制御信号によって、回転数（すなわち、冷媒吐出能力）が制御される。
【００２３】
圧縮機１１の吐出口には、水−冷媒熱交換器１２の冷媒通路の入口側が接続されている。水−冷媒熱交換器１２は、圧縮機１１から吐出された高圧冷媒を流通させる冷媒通路と、高温側熱媒体回路４０を循環する高温側熱媒体を流通させる水通路とを有している。そして、水−冷媒熱交換器１２は、冷媒通路を流通する高圧冷媒と、水通路を流通する高温側熱媒体とを熱交換させて、高温側熱媒体を加熱する加熱用の熱交換器である。
【００２４】
水−冷媒熱交換器１２の冷媒通路の出口には、互いに連通する３つの流入出口を有する第１三方継手１３ａの流入口側が接続されている。このような三方継手としては、複数の配管を接合して形成されたものや、金属ブロックや樹脂ブロックに複数の冷媒通路を設けることによって形成されたものを採用することができる。
【００２５】
さらに、冷凍サイクル装置１０は、第２〜第６三方継手１３ｂ〜１３ｆを備えている。これらの第２〜第６三方継手１３ｂ〜１３ｆの基本的構成は、第１三方継手１３ａと同様である。
【００２６】
第１三方継手１３ａの一方の流出口には、暖房用膨張弁１４ａの入口側が接続されている。第１三方継手１３ａの他方の流出口には、バイパス通路２２ａを介して、第２三方継手１３ｂの一方の流入口側が接続されている。バイパス通路２２ａには、除湿用開閉弁１５ａが配置されている。
【００２７】
除湿用開閉弁１５ａは、第１三方継手１３ａの他方の流出口側と第２三方継手１３ｂの一方の流入口側とを接続する冷媒通路を開閉する電磁弁である。さらに、冷凍サイクル装置１０は、暖房用開閉弁１５ｂを備えている。暖房用開閉弁１５ｂの基本的構成は、除湿用開閉弁１５ａと同様である。
【００２８】
除湿用開閉弁１５ａおよび暖房用開閉弁１５ｂは、冷媒通路を開閉することで、各運転モードの冷媒回路を切り替えることができる。従って、除湿用開閉弁１５ａおよび暖房用開閉弁１５ｂは、サイクルの冷媒回路を切り替える冷媒回路切替部である。除湿用開閉弁１５ａおよび暖房用開閉弁１５ｂは、制御装置６０から出力される制御電圧によって、その作動が制御される。
【００２９】
暖房用膨張弁１４ａは、水−冷媒熱交換器１２の冷媒通路から流出した高圧冷媒を減圧させるとともに、下流側へ流出させる冷媒の流量（具体的には質量流量）を調整する暖房用減圧部である。暖房用膨張弁１４ａは、絞り開度を変更可能に構成された弁体と、この弁体の開度を変化させる電動アクチュエータとを有して構成される電気式の可変絞り機構である。暖房用膨張弁１４ａは、絞り開度を変更することによって、冷媒の減圧量を変化させることが可能になっている。
【００３０】
冷凍サイクル装置１０は、冷房用膨張弁１４ｂ、入口側膨張弁１４ｃおよび出口側膨張弁１４ｄを備えている。冷房用膨張弁１４ｂ、入口側膨張弁１４ｃおよび出口側膨張弁１４ｄの基本的構成は、暖房用膨張弁１４ａと同様である。冷房用膨張弁１４ｂ、入口側膨張弁１４ｃおよび出口側膨張弁１４ｄは、絞り開度を変更することによって、冷媒の減圧量を変化させることが可能になっている。
【００３１】
暖房用膨張弁１４ａ、冷房用膨張弁１４ｂおよび入口側膨張弁１４ｃは、弁開度を全開にすることで流量調整作用および冷媒減圧作用を殆ど発揮することなく単なる冷媒通路として機能する全開機能、および弁開度を全閉にすることで冷媒通路を閉塞する全閉機能を有している。
【００３２】
暖房用膨張弁１４ａ、冷房用膨張弁１４ｂおよび入口側膨張弁１４ｃは、各運転モードの冷媒回路を切り替えることができる。
【００３３】
従って、本実施形態の暖房用膨張弁１４ａ、冷房用膨張弁１４ｂおよび入口側膨張弁１４ｃは、冷媒回路切替部としての機能も兼ね備えている。暖房用膨張弁１４ａ、冷房用膨張弁１４ｂ、入口側膨張弁１４ｃおよび出口側膨張弁１４ｄは、制御装置６０から出力される制御信号（制御パルス）によって、その作動が制御される。
【００３４】
暖房用膨張弁１４ａの出口には、室外熱交換器１６の冷媒入口側が接続されている。室外熱交換器１６は、暖房用膨張弁１４ａから流出した冷媒と、図示しない冷却ファンにより送風された外気とを熱交換させる熱交換器である。室外熱交換器１６は、駆動装置室内の前方側に配置されている。このため、車両走行時には、室外熱交換器１６に走行風を当てることができる。
【００３５】
室外熱交換器１６の冷媒出口には、第３三方継手１３ｃの流入口側が接続されている。第３三方継手１３ｃの一方の流出口には、暖房用通路２２ｂを介して、第４三方継手１３ｄの一方の流入口側が接続されている。暖房用通路２２ｂには、この冷媒通路を開閉する暖房用開閉弁１５ｂが配置されている。
【００３６】
第３三方継手１３ｃの他方の流出口には、第２三方継手１３ｂの他方の流入口側が接続されている。第３三方継手１３ｃの他方の流出口側と第２三方継手１３ｂの他方の流入口側とを接続する冷媒通路には、逆止弁１７が配置されている。逆止弁１７は、第３三方継手１３ｃ側から第２三方継手１３ｂ側へ冷媒が流れることを許容し、第２三方継手１３ｂ側から第３三方継手１３ｃ側へ冷媒が流れることを禁止する機能を果たす。
【００３７】
第２三方継手１３ｂの流出口には、第５三方継手１３ｅの流入口側が接続されている。第５三方継手１３ｅの一方の流出口には、冷房用膨張弁１４ｂの入口側が接続されている。第５三方継手１３ｅの他方の流出口には、入口側膨張弁１４ｃの入口側が接続されている。
【００３８】
冷房用膨張弁１４ｂは、第５三方継手１３ｅから流出した冷媒を減圧させるとともに、下流側へ流出させる冷媒の流量を調整する冷房用減圧部（換言すれば、空気冷却用減圧部）である。
【００３９】
冷房用膨張弁１４ｂの出口には、室内蒸発器１８の冷媒入口側が接続されている。室内蒸発器１８は、室内空調ユニット３０の空調ケース３１内に配置されている。室内蒸発器１８は、冷房用膨張弁１４ｂにて減圧された低圧冷媒と送風機３２から送風された空気とを熱交換させて低圧冷媒を蒸発させ、低圧冷媒に吸熱作用を発揮させることによって空気を冷却する空気冷却用熱交換器である。室内蒸発器１８は、送風機３２から送風された空気を冷却する空気冷却部である。室内蒸発器１８の冷媒出口には、第６三方継手１３ｆの一方の流入口側が接続されている。
【００４０】
入口側膨張弁１４ｃは、第５三方継手１３ｅから流出した冷媒を減圧させるとともに、下流側へ流出させる冷媒の流量を調整する入口側減圧部である。
【００４１】
入口側膨張弁１４ｃの出口には、電池冷却器１９の入口側が接続されている。電池冷却器１９は、冷媒通路を流通する冷媒を蒸発させて吸熱作用を発揮させることによって電池８０を冷却する、いわゆる直冷式の冷却器である。電池冷却器１９は電池冷却部である。
【００４２】
電池冷却器１９では、電池８０の全域を均等に冷却できるように、互いに並列的に接続された複数の冷媒流路を有するものが採用されていることが望ましい。電池冷却器１９の出口には、出口側膨張弁１４ｄの入口側が接続されている。
【００４３】
出口側膨張弁１４ｄは、電池冷却器１９から流出した冷媒を減圧させるとともに、下流側へ流出させる冷媒の流量を調整する出口側減圧部である。
【００４４】
出口側膨張弁１４ｄの基本的構成は、暖房用膨張弁１４ａと同様である。出口側膨張弁１４ｄは、弁開度を全開にすることで流量調整作用および冷媒減圧作用を殆ど発揮することなく単なる冷媒通路として機能する全開機能を有している。
【００４５】
出口側膨張弁１４ｄの出口には、第６三方継手１３ｆの他方の流入口側が接続されている。第６三方継手１３ｆの流出口には、蒸発圧力調整弁２０の入口側が接続されている。蒸発圧力調整弁２０は、室内蒸発器１８の着霜を抑制するために、室内蒸発器１８における冷媒蒸発圧力を、予め定めた基準圧力以上に維持する機能を果たす。蒸発圧力調整弁２０は、室内蒸発器１８の出口側冷媒の圧力の上昇に伴って、弁開度を増加させる機械式の可変絞り機構で構成されている。
【００４６】
蒸発圧力調整弁２０は、室内蒸発器１８における冷媒蒸発温度を、室内蒸発器１８の着霜を抑制可能な着霜抑制温度（本実施形態では、１℃）以上に維持している。本実施形態の蒸発圧力調整弁２０は、合流部である第６三方継手１３ｆよりも冷媒流れ下流側に配置されている。このため、蒸発圧力調整弁２０は、電池冷却器１９における冷媒蒸発温度についても、着霜抑制温度以上に維持している。
【００４７】
蒸発圧力調整弁２０の出口には、第４三方継手１３ｄの他方の流入口側が接続されている。第４三方継手１３ｄの流出口には、アキュムレータ２１の入口側が接続されている。アキュムレータ２１は、内部に流入した冷媒の気液を分離して、サイクル内の余剰液相冷媒を蓄える気液分離器である。アキュムレータ２１の気相冷媒出口には、圧縮機１１の吸入口側が接続されている。
【００４８】
第５三方継手１３ｅは、室外熱交換器１６から流出した冷媒の流れを分岐する分岐部である。第６三方継手１３ｆは、室内蒸発器１８から流出した冷媒の流れと電池冷却器１９から流出した冷媒の流れとを合流させて、圧縮機１１の吸入側へ流出させる合流部である。
【００４９】
室内蒸発器１８および電池冷却器１９は、冷媒流れに対して互いに並列的に接続されている。バイパス通路２２ａは、水−冷媒熱交換器１２の冷媒通路から流出した冷媒を、第５三方継手１３ｅの上流側へ導いている。暖房用通路２２ｂは、室外熱交換器１６から流出した冷媒を、圧縮機１１の吸入口側へ導いている。
【００５０】
次に、高温側熱媒体回路４０について説明する。高温側熱媒体回路４０は、高温側熱媒体を循環させる熱媒体循環回路である。高温側熱媒体としては、エチレングリコール、ジメチルポリシロキサン、あるいはナノ流体等を含む溶液、不凍液等を採用することができる。高温側熱媒体回路４０には、水−冷媒熱交換器１２の水通路、高温側熱媒体ポンプ４１、ヒータコア４２等が配置されている。
【００５１】
高温側熱媒体ポンプ４１は、高温側熱媒体を水−冷媒熱交換器１２の水通路の入口側へ圧送する水ポンプである。高温側熱媒体ポンプ４１は、制御装置６０から出力される制御電圧によって、回転数（すなわち、圧送能力）が制御される電動ポンプである。
【００５２】
水−冷媒熱交換器１２の水通路の出口には、ヒータコア４２の熱媒体入口側が接続されている。ヒータコア４２は、水−冷媒熱交換器１２にて加熱された高温側熱媒体と室内蒸発器１８を通過した空気とを熱交換させて、空気を加熱する熱交換器である。ヒータコア４２は、室内空調ユニット３０の空調ケース３１内に配置されている。水−冷媒熱交換器１２およびヒータコア４２は、圧縮機１１から吐出された冷媒を、車室内に送風される空気に高温側熱媒体を介して放熱する放熱部である。
【００５３】
ヒータコア４２の熱媒体出口には、高温側熱媒体ポンプ４１の吸入口側が接続されている。高温側熱媒体回路４０では、高温側熱媒体ポンプ４１が、ヒータコア４２へ流入する高温側熱媒体の流量を調整することによって、水−冷媒熱交換器１２における冷媒から高温側熱媒体への放熱量を調整することができる。高温側熱媒体ポンプ４１は放熱量調整部である。
【００５４】
水−冷媒熱交換器１２およびヒータコア４２は、圧縮機１１から吐出された冷媒を熱源として空気を加熱する加熱部である。
【００５５】
次に、室内空調ユニット３０について説明する。室内空調ユニット３０は、冷凍サイクル装置１０によって温度調整された空気を車室内へ吹き出す。室内空調ユニット３０は、車室内最前部の計器盤の内側に配置されている。
【００５６】
室内空調ユニット３０は、空調ケース３１内に形成された空気通路内に送風機３２、室内蒸発器１８、ヒータコア４２等を収容している。
【００５７】
空調ケース３１は、室内空調ユニット３０の外殻を形成している。空調ケース３１は、車室内に送風される空気の通路を形成している。空調ケース３１は、ある程度の弾性を有し、強度的にも優れた樹脂（例えば、ポリプロピレン）にて成形されている。
【００５８】
空調ケース３１の空気流れ最上流側には、内外気切替装置３３が配置されている。内外気切替装置３３は、空調ケース３１内へ内気（車室内空気）と外気（車室外空気）とを切替導入する。
【００５９】
内外気切替装置３３は、空調ケース３１内へ内気を導入させる内気導入口および外気を導入させる外気導入口の開口面積を、内外気切替ドアによって連続的に調整して、内気の導入風量と外気の導入風量との導入割合を変化させる。内外気切替ドアは、図示しない電動アクチュエータによって駆動される。電動アクチュエータの作動は、制御装置６０から出力される制御信号によって制御される。
【００６０】
内外気切替装置３３の空気流れ下流側には、送風機３２が配置されている。送風機３２は、内外気切替装置３３を介して吸入した空気を車室内へ向けて送風する。送風機３２は、遠心多翼ファンを電動モータにて駆動する電動送風機である。送風機３２の回転数（すなわち送風能力）は、制御装置６０から出力される制御電圧によって制御される。
【００６１】
送風機３２の空気流れ下流側には、室内蒸発器１８およびヒータコア４２が配置されている。室内蒸発器１８は、ヒータコア４２よりも空気流れ上流側に配置されている。
【００６２】
空調ケース３１内には冷風バイパス通路３５が設けられている。冷風バイパス通路３５は、室内蒸発器１８通過後の空気を、ヒータコア４２を迂回して流すための空気通路である。空調ケース３１内の室内蒸発器１８の空気流れ下流側であって、かつヒータコア４２の空気流れ上流側には、エアミックスドア３４が配置されている。
【００６３】
エアミックスドア３４は、室内蒸発器１８通過後の空気のうち、ヒータコア４２側を通過する空気の風量と冷風バイパス通路３５を通過させる空気の風量との風量割合を調整する。エアミックスドア３４は風量割合調整部である。エアミックスドア３４は電動アクチュエータによって駆動される。電動アクチュエータの作動は、制御装置６０から出力される制御信号によって制御される。
【００６４】
空調ケース３１内のヒータコア４２および冷風バイパス通路３５の空気流れ下流側には、混合空間が配置されている。混合空間は、ヒータコア４２にて加熱された空気と、冷風バイパス通路３５を通過して加熱されていない空気とを混合させる空間である。
【００６５】
空調ケース３１の空気流れ最下流部には、混合空間にて混合された空気を、空調対象空間である車室内へ吹き出すための開口穴が配置されている。
【００６６】
図示を省略しているが、空調ケース３１の開口穴としては、フェイス開口穴、フット開口穴およびデフロスタ開口穴が設けられている。フェイス開口穴は、車室内の乗員の上半身に向けて空気を吹き出すための開口穴である。フット開口穴は、乗員の足元に向けて空気を吹き出すための開口穴である。デフロスタ開口穴は、車両前面窓ガラス内側面に向けて空気を吹き出すための開口穴である。
【００６７】
フェイス開口穴、フット開口穴、およびデフロスタ開口穴は、それぞれ空気通路を形成するダクトを介して、車室内の図示しないフェイス吹出口、フット吹出口およびデフロスタ吹出口に接続されている。
【００６８】
エアミックスドア３４が、ヒータコア４２を通過させる風量と冷風バイパス通路３５を通過させる風量との風量割合を調整することによって、混合空間にて混合されて各吹出口から車室内へ吹き出される空気の温度が調整される。
【００６９】
フェイス開口穴、フット開口穴およびデフロスタ開口穴の空気流れ上流側には、それぞれ、図示しないフェイスドア、フットドアおよびデフロスタドアが配置されている。フェイスドアは、フェイス開口穴の開口面積を調整する。フットドアは、フット開口穴の開口面積を調整する。デフロスタドアは、フロスタ開口穴の開口面積を調整する。
【００７０】
フェイスドア、フットドアおよびデフロスタドアは、吹出口モードを切り替える吹出口モード切替装置である。フェイスドア、フットドアおよびデフロスタドアは、共通のリンク機構等を介して共通の電動アクチュエータに連結されて、互いに連動して回転操作される。電動アクチュエータの作動は、制御装置６０から出力される制御信号によって制御される。
【００７１】
吹出口モード切替装置によって切り替えられる吹出口モードとしては、フェイスモード、バイレベルモードおよびフットモード等がある。
【００７２】
フェイスモードは、フェイス吹出口を全開としてフェイス吹出口から車室内乗員の上半身に向けて空気を吹き出す吹出口モードである。バイレベルモードは、フェイス吹出口とフット吹出口の両方を開口して車室内乗員の上半身と足元に向けて空気を吹き出す吹出口モードである。フットモードは、フット吹出口を全開とするとともにデフロスタ吹出口を小開度だけ開口して、フット吹出口から主に空気を吹き出す吹出口モードである。
【００７３】
乗員が操作パネル７０に設けられた吹出モード切替スイッチをマニュアル操作することによって、デフロスタモードに切り替えることもできる。デフロスタモードは、デフロスタ吹出口を全開としてデフロスタ吹出口からフロント窓ガラス内面に空気を吹き出す吹出口モードである。
【００７４】
次に、本実施形態の電気制御部の概要について説明する。制御装置６０は、ＣＰＵ、ＲＯＭおよびＲＡＭ等を含む周知のマイクロコンピュータとその周辺回路から構成されている。そして、そのＲＯＭ内に記憶された制御プログラムに基づいて各種演算、処理を行い、その出力側に接続された各種制御対象機器１１、１４ａ〜１４ｃ、１５ａ、１５ｂ、３２、４１、５１、５３等の作動を制御する。
【００７５】
制御装置６０の入力側には、図２のブロック図に示すように、内気温センサ６１、外気温センサ６２、日射センサ６３、第１〜第５冷媒温度センサ６４ａ〜６４ｅ、蒸発器温度センサ６４ｆ、冷却器入口温度センサ６４ｇ、第１冷媒圧力センサ６５ａ、第２冷媒圧力センサ６５ｂ、高温側熱媒体温度センサ６６ａ、電池温度センサ６８、空気温度センサ６９等が接続されている。そして、制御装置６０には、これらのセンサ群の検出信号が入力される。
【００７６】
内気温センサ６１は、車室内温度（換言すれば、内気温）Ｔｒを検出する内気温検出部である。外気温センサ６２は、車室外温度（換言すれば、外気温）Ｔａｍを検出する外気温検出部である。日射センサ６３は、車室内へ照射される日射量Ｔｓを検出する日射量検出部である。
【００７７】
第１冷媒温度センサ６４ａは、圧縮機１１から吐出された冷媒の温度Ｔ１を検出する吐出冷媒温度検出部である。第２冷媒温度センサ６４ｂは、水−冷媒熱交換器１２の冷媒通路から流出した冷媒の温度Ｔ２を検出する第２冷媒温度検出部である。第３冷媒温度センサ６４ｃは、室外熱交換器１６から流出した冷媒の温度Ｔ３を検出する第３冷媒温度検出部である。
【００７８】
第４冷媒温度センサ６４ｄは、室内蒸発器１８から流出した冷媒の温度Ｔ４を検出する第４冷媒温度検出部である。第５冷媒温度センサ６４ｅは、電池冷却器１９の冷媒通路から流出した冷媒の温度Ｔ５を検出する。
【００７９】
蒸発器温度センサ６４ｆは、室内蒸発器１８における冷媒蒸発温度である蒸発器温度Ｔｅｆｉｎを検出する蒸発器温度検出部である。本実施形態の蒸発器温度センサ６４ｆでは、具体的に、室内蒸発器１８の熱交換フィン温度を検出している。
【００８０】
冷却器入口温度センサ６４ｇは、電池冷却器１９の冷媒通路へ流入する冷媒の温度を検出する冷却器入口温度検出部である。
【００８１】
第１冷媒圧力センサ６５ａは、水−冷媒熱交換器１２の冷媒通路から流出した冷媒の圧力Ｐ１を検出する第１冷媒圧力検出部である。第２冷媒圧力センサ６５ｂは、電池冷却器１９の冷媒通路から流出した冷媒の圧力Ｐ２を検出する第２冷媒圧力検出部である。
【００８２】
高温側熱媒体温度センサ６６ａは、水−冷媒熱交換器１２の水通路から流出した高温側熱媒体の温度である高温側熱媒体温度ＴＷＨを検出する高温側熱媒体温度検出部である。
【００８３】
電池温度センサ６８は、電池温度ＴＢ（すなわち、電池８０の温度）を検出する電池温度検出部である。電池温度センサ６８は、電池８０の複数の箇所の温度を検出する複数の温度センサを有している。電池温度センサ６８は、複数の温度センサの検出値の平均値を電池温度ＴＢとする。電池温度センサ６８は、電池８０の各部の温度差を検出することもできる。
【００８４】
空気温度センサ６９は、混合空間から車室内へ送風される空気温度ＴＡＶを検出する空気温度検出部である。
【００８５】
制御装置６０の入力側には、車室内前部の計器盤付近に配置された操作パネル７０が接続されている。制御装置６０には、操作パネル７０に設けられた各種操作スイッチからの操作信号が入力される。
【００８６】
操作パネル７０に設けられた各種操作スイッチとしては、オートスイッチ、エアコンスイッチ、風量設定スイッチ、温度設定スイッチ、吹出モード切替スイッチ等がある。オートスイッチは、車両用空調装置の自動制御運転を設定あるいは解除するための操作スイッチである。エアコンスイッチは、室内蒸発器１８で空気の冷却を行うことを要求するための操作スイッチである。風量設定スイッチは、送風機３２の風量をマニュアル設定するための操作スイッチである。温度設定スイッチは、車室内の目標温度Ｔｓｅｔを設定するための操作スイッチである。吹出モード切替スイッチは、吹出モードをマニュアル設定するための操作スイッチである。
【００８７】
制御装置６０のうち、それぞれの制御対象機器の作動を制御する構成（ハードウェアおよびソフトウェア）は、それぞれの制御対象機器の作動を制御する制御部を構成している。制御装置６０は、それらの制御部が一体に構成されたものである。
【００８８】
例えば、制御装置６０のうち、圧縮機１１の回転数（すなわち、冷媒吐出能力）を制御する構成は、圧縮機制御部６０ａである。暖房用膨張弁１４ａ、冷房用膨張弁１４ｂ、入口側膨張弁１４ｃおよび出口側膨張弁１４ｄの作動を制御する構成は、膨張弁制御部６０ｂである。除湿用開閉弁１５ａおよび暖房用開閉弁１５ｂの作動を制御する構成は、冷媒回路切替制御部６０ｃである。
【００８９】
高温側熱媒体ポンプ４１の高温側熱媒体の圧送能力を制御する構成は、高温側熱媒体ポンプ制御部６０ｄである。低温側熱媒体ポンプ５１の低温側熱媒体の圧送能力を制御する構成は、低温側熱媒体ポンプ制御部６０ｅである。
【００９０】
次に、上記構成における本実施形態の作動について説明する。車両用空調装置１は、車室内の空調を行う機能だけでなく、電池８０の温度を調整する機能を有している。このため、冷凍サイクル装置１０では、冷媒回路を切り替えて、以下の運転モードでの運転を行うことができる。
【００９１】
（ａ）冷房モード
冷房モードは、空気を冷却して車室内へ吹き出すことによって車室内の冷房を行う運転モードである。
【００９２】
制御装置６０は、冷凍サイクル装置１０を冷房モードの冷媒回路に切り替えるために、暖房用膨張弁１４ａを全開状態とし、冷房用膨張弁１４ｂを、冷媒減圧作用を発揮する絞り状態とし、入口側膨張弁１４ｃを全閉状態とし、除湿用開閉弁１５ａを閉じ、暖房用開閉弁１５ｂを閉じる。
【００９３】
冷房モードの冷凍サイクル装置１０では、圧縮機１１→水−冷媒熱交換器１２（→暖房用膨張弁１４ａ）→室外熱交換器１６→逆止弁１７→冷房用膨張弁１４ｂ→室内蒸発器１８→蒸発圧力調整弁２０→アキュムレータ２１→圧縮機１１の順に冷媒が循環する蒸気圧縮式の冷凍サイクルが構成される。
【００９４】
冷房モードの冷凍サイクル装置１０では、水−冷媒熱交換器１２および室外熱交換器１６が圧縮機１１から吐出された冷媒を放熱させる放熱器として機能し、冷房用膨張弁１４ｂが冷媒を減圧させる減圧部として機能し、室内蒸発器１８が蒸発器として機能する蒸気圧縮式の冷凍サイクルが構成される。
【００９５】
これによれば、室内蒸発器１８にて、空気を冷却することができるとともに、水−冷媒熱交換器１２にて、高温側熱媒体を加熱することができる。
【００９６】
従って、冷房モードの車両用空調装置１では、エアミックスドア３４の開度調整によって、室内蒸発器１８にて冷却された空気の一部をヒータコア４２にて再加熱し、目標吹出温度ＴＡＯに近づくように温度調整された空気を車室内へ吹き出すことによって、車室内の冷房を行うことができる。
【００９７】
（ｂ）直列除湿暖房モード
直列除湿暖房モードは、冷却除湿された空気を再加熱して車室内へ吹き出すことによって車室内の除湿暖房を行う運転モードである。
【００９８】
制御装置６０は、冷凍サイクル装置１０を直列除湿暖房モードの冷媒回路に切り替えるために、暖房用膨張弁１４ａを絞り状態とし、冷房用膨張弁１４ｂを絞り状態とし、入口側膨張弁１４ｃを全閉状態とし、除湿用開閉弁１５ａを閉じ、暖房用開閉弁１５ｂを閉じる。
【００９９】
直列除湿暖房モードの冷凍サイクル装置１０では、圧縮機１１→水−冷媒熱交換器１２→暖房用膨張弁１４ａ→室外熱交換器１６→逆止弁１７→冷房用膨張弁１４ｂ→室内蒸発器１８→蒸発圧力調整弁２０→アキュムレータ２１→圧縮機１１の順に冷媒が循環する蒸気圧縮式の冷凍サイクルが構成される。
【０１００】
直列除湿暖房モードの冷凍サイクル装置１０では、水−冷媒熱交換器１２が圧縮機１１から吐出された冷媒を放熱させる放熱器として機能し、暖房用膨張弁１４ａおよび冷房用膨張弁１４ｂが減圧部として機能し、室内蒸発器１８が蒸発器として機能する蒸気圧縮式の冷凍サイクルが構成される。
【０１０１】
室外熱交換器１６における冷媒の飽和温度が、外気温Ｔａｍよりも高くなっている際には、室外熱交換器１６が放熱器として機能するサイクルが構成される。室外熱交換器１６における冷媒の飽和温度が、外気温Ｔａｍよりも低くなっている際には、室外熱交換器１６が蒸発器として機能するサイクルが構成される。
【０１０２】
これによれば、室内蒸発器１８にて、空気を冷却することができるとともに、水−冷媒熱交換器１２にて、高温側熱媒体を加熱することができる。従って、直列除湿暖房モードの車両用空調装置１では、室内蒸発器１８にて冷却除湿された空気を、ヒータコア４２にて再加熱して車室内へ吹き出すことによって、車室内の除湿暖房を行うことができる。
【０１０３】
（ｃ）並列除湿暖房モード
並列除湿暖房モードは、冷却除湿された空気を直列除湿暖房モードよりも高い加熱能力で再加熱して車室内へ吹き出すことによって車室内の除湿暖房を行う運転モードである。
【０１０４】
制御装置６０は、冷凍サイクル装置１０を並列除湿暖房モードの冷媒回路に切り替えるために、暖房用膨張弁１４ａを絞り状態とし、冷房用膨張弁１４ｂを絞り状態とし、入口側膨張弁１４ｃを全閉状態とし、除湿用開閉弁１５ａを開き、暖房用開閉弁１５ｂを開く。
【０１０５】
制御装置６０は、並列除湿暖房モードの冷凍サイクル装置１０では、圧縮機１１→水−冷媒熱交換器１２→暖房用膨張弁１４ａ→室外熱交換器１６→暖房用通路２２ｂ→アキュムレータ２１→圧縮機１１の順に冷媒が循環するとともに、圧縮機１１→水−冷媒熱交換器１２→バイパス通路２２ａ→冷房用膨張弁１４ｂ→室内蒸発器１８→蒸発圧力調整弁２０→アキュムレータ２１→圧縮機１１の順に冷媒が循環する蒸気圧縮式の冷凍サイクルが構成される。
【０１０６】
並列除湿暖房モードの冷凍サイクル装置１０では、水−冷媒熱交換器１２が圧縮機１１から吐出された冷媒を放熱させる放熱器として機能し、暖房用膨張弁１４ａが減圧部として機能し、室外熱交換器１６が蒸発器として機能するとともに、冷房用膨張弁１４ｂが減圧部として機能し、室内蒸発器１８が蒸発器として機能する冷凍サイクルが構成される。
【０１０７】
これによれば、室内蒸発器１８にて空気を冷却することができるとともに、水−冷媒熱交換器１２にて、高温側熱媒体を加熱することができる。従って、並列除湿暖房モードの車両用空調装置１では、室内蒸発器１８にて冷却除湿された空気を、ヒータコア４２にて再加熱して車室内へ吹き出すことによって、車室内の除湿暖房を行うことができる。
【０１０８】
並列除湿暖房モードの冷凍サイクル装置１０では、室外熱交換器１６と室内蒸発器１８とが冷媒流れに対して並列的に接続され、室内蒸発器１８の下流側に蒸発圧力調整弁２０が配置されている。これにより、室外熱交換器１６における冷媒蒸発温度を、室内蒸発器１８における冷媒蒸発温度よりも低下させることができる。
【０１０９】
従って、並列除湿暖房モードでは、直列除湿暖房モードよりも、室外熱交換器１６における冷媒の吸熱量を増加させることができ、水−冷媒熱交換器１２における冷媒の放熱量を増加させることができる。その結果、並列除湿暖房モードでは、直列除湿暖房モードよりも高い加熱能力で空気を再加熱することができる。
【０１１０】
（ｄ）暖房モード
暖房モードは、空気を加熱して車室内へ吹き出すことによって車室内の暖房を行う運転モードである。
【０１１１】
制御装置６０は、冷凍サイクル装置１０を暖房モードの冷媒回路に切り替えるために、暖房用膨張弁１４ａを絞り状態とし、冷房用膨張弁１４ｂを全閉状態とし、入口側膨張弁１４ｃを全閉状態とし、除湿用開閉弁１５ａを閉じ、暖房用開閉弁１５ｂを開く。
【０１１２】
暖房モードの冷凍サイクル装置１０では、圧縮機１１→水−冷媒熱交換器１２→暖房用膨張弁１４ａ→室外熱交換器１６→暖房用通路２２ｂ→アキュムレータ２１→圧縮機１１の順に冷媒が循環する蒸気圧縮式の冷凍サイクルが構成される。
【０１１３】
暖房モードの冷凍サイクル装置１０では、水−冷媒熱交換器１２が圧縮機１１から吐出された冷媒を放熱させる放熱器として機能し、暖房用膨張弁１４ａが減圧部として機能し、室外熱交換器１６が蒸発器として機能する冷凍サイクルが構成される。
【０１１４】
これによれば、水−冷媒熱交換器１２にて、高温側熱媒体を加熱することができる。従って、暖房モードの車両用空調装置１では、ヒータコア４２にて加熱された空気を車室内へ吹き出すことによって、車室内の暖房を行うことができる。
【０１１５】
（ｅ）冷却モード
冷却モードは、車室内の空調を行うことなく、電池８０の冷却を行う運転モードである。
【０１１６】
制御装置６０は、冷凍サイクル装置１０を冷却モードの冷媒回路に切り替えるために、暖房用膨張弁１４ａを全開状態とし、冷房用膨張弁１４ｂを全閉状態とし、入口側膨張弁１４ｃを絞り状態とし、出口側膨張弁１４ｄを全開状態または絞り状態とし、除湿用開閉弁１５ａを閉じ、暖房用開閉弁１５ｂを閉じる。
【０１１７】
冷却モードの冷凍サイクル装置１０では、圧縮機１１→水−冷媒熱交換器１２（→暖房用膨張弁１４ａ）→室外熱交換器１６→逆止弁１７→入口側膨張弁１４ｃ→電池冷却器１９→出口側膨張弁１４ｄ→蒸発圧力調整弁２０→アキュムレータ２１→圧縮機１１の順に冷媒が循環する蒸気圧縮式の冷凍サイクルが構成される。
【０１１８】
冷却モードの冷凍サイクル装置１０では、室外熱交換器１６が圧縮機１１から吐出された冷媒を放熱させる放熱器として機能し、入口側膨張弁１４ｃが減圧部として機能し、電池冷却器１９が蒸発器として機能する蒸気圧縮式の冷凍サイクルが構成される。
【０１１９】
これによれば、冷却モードの車両用空調装置１では、入口側膨張弁１４ｃで減圧された低圧冷媒を電池冷却器１９へ流入させることによって、電池８０の冷却を行うことができる。
【０１２０】
（ｆ）加熱モード
加熱モードは、車室内の空調を行うことなく、電池８０の加熱を行う運転モードである。
【０１２１】
制御装置６０は、電池温度ＴＢに応じて、（ｆ−１）低圧加熱モード、（ｆ−２）中間圧加熱モードおよび（ｆ−３）高圧加熱モードを切り替える。
【０１２２】
低圧加熱モードは、電池温度ＴＢが−１０℃以下の場合に実施される。低圧加熱モードでは、電池８０を最も低温で加熱する。
【０１２３】
中間圧加熱モードは、電池温度ＴＢが−１０℃以上０℃以下の場合に実施される。中間圧加熱モードでは、電池８０を低圧加熱モードと高圧加熱モードとの間の温度で加熱する。
【０１２４】
高圧加熱モードは、電池温度ＴＢが０℃以上の場合に実施される。高圧加熱モードでは、電池８０を中間圧加熱モードよりも高温で加熱する。
【０１２５】
（ｆ−１）低圧加熱モード
制御装置６０は、冷凍サイクル装置１０を低圧加熱モードの冷媒回路に切り替えるために、暖房用膨張弁１４ａを全閉状態とし、冷房用膨張弁１４ｂを全閉状態とし、入口側膨張弁１４ｃを絞り状態とし、出口側膨張弁１４ｄを全開状態とし、除湿用開閉弁１５ａを開き、暖房用開閉弁１５ｂを閉じる。
【０１２６】
低圧加熱モードの冷凍サイクル装置１０では、圧縮機１１→水−冷媒熱交換器１２→入口側膨張弁１４ｃ→電池冷却器１９→出口側膨張弁１４ｄ→蒸発圧力調整弁２０→アキュムレータ２１→圧縮機１１の順に冷媒が循環する蒸気圧縮式の冷凍サイクルが構成される。
【０１２７】
低圧加熱モードでは、高温側熱媒体ポンプ４１を停止させる。したがって、低圧加熱モードでは、水−冷媒熱交換器１２で熱交換が行われない。
【０１２８】
つまり、低圧加熱モードの冷凍サイクル装置１０では、図３のモリエル線図に示すように、電池冷却器１９が、入口側膨張弁１４ｃで減圧された冷媒を放熱させる放熱器として機能するホットガスサイクルが構成される。
【０１２９】
これによれば、電池冷却器１９にて、電池８０の加熱を行うことができる。
【０１３０】
（ｆ−２）中間圧加熱モード
制御装置６０は、冷凍サイクル装置１０を中間圧加熱モードの冷媒回路に切り替えるために、低圧加熱モードの冷媒回路に対して、入口側膨張弁１４ｃを絞り状態とし、出口側膨張弁１４ｄを絞り状態とする。中間圧加熱モードの冷凍サイクル装置１０では、入口側膨張弁１４ｃおよび出口側膨張弁１４ｄの両方を絞り状態とするので、図４のモリエル線図に示すように、電池冷却器１９に流入する冷媒の圧力は、圧縮機１１に吸入される冷媒の圧力よりも高く、圧縮機１１から吐出された冷媒の圧力よりも低くなる。そのため、電池冷却器１９に流入する冷媒の圧力および温度を、低圧加熱モードよりも高くすることができる。
【０１３１】
そのため、電池冷却器１９にて、低圧加熱モードよりも高温で電池８０の加熱を行うことができる。
【０１３２】
（ｆ−３）高圧加熱モード
制御装置６０は、冷凍サイクル装置１０を高圧加熱モードの冷媒回路に切り替えるために、中間圧加熱モードの冷媒回路に対して、入口側膨張弁１４ｃを全開状態とし、出口側膨張弁１４ｄを絞り状態とする。
【０１３３】
高圧加熱モードの冷凍サイクル装置１０では、入口側膨張弁１４ｃを全開状態とするので、図５のモリエル線図に示すように、電池冷却器１９に流入する冷媒の圧力は、圧縮機１１から吐出された冷媒の圧力と同じになる。そのため、電池冷却器１９に流入する冷媒の圧力および温度を、中間圧加熱モードよりも高くすることができる。
【０１３４】
そのため、電池冷却器１９にて、中間圧加熱モードよりも高温で電池８０の加熱を行うことができる。
【０１３５】
（ｆ−１）低圧加熱モード、（ｆ−２）中間圧加熱モードおよび（ｆ−３）高圧加熱モードの切り替えにより、電池温度ＴＢが高くなるにつれて電池冷却器１９に流入する冷媒の温度を高くすることができる。そのため、電池８０との温度差を適切に確保してサイクル効率を高めることができる。
【０１３６】
上述の運転モードの切り替えは、制御プログラムが実行されることによって行われる。図６を用いて、制御プログラムについて説明する。図６等のフローチャートに示す各制御ステップは、制御装置６０が有する機能実現部である。
【０１３７】
図６のステップＳ１０では、上述したセンサ群の検出信号、および操作パネル７０の操作信号を読み込む。続くステップＳ２０では、ステップＳ１０にて読み込んだ検出信号および操作信号に基づいて、車室内へ送風される空気の目標温度である目標吹出温度ＴＡＯを決定する。従って、ステップＳ２０は、目標吹出温度決定部である。
【０１３８】
具体的には、目標吹出温度ＴＡＯは、以下数式Ｆ１によって算出される。
ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ…（Ｆ１）
Ｔｓｅｔは温度設定スイッチによって設定された車室内設定温度である。Ｔｒは内気センサによって検出された車室内温度である。Ｔａｍは外気センサによって検出された車室外温度である。Ｔｓは日射センサによって検出された日射量である。Ｋｓｅｔ、Ｋｒ、Ｋａｍ、Ｋｓは制御ゲインであり、Ｃは補正用の定数である。
【０１３９】
次に、ステップＳ３０では、エアコンスイッチがオンされているか否かが判定される。エアコンスイッチがオンされていることは、乗員が車室内の冷房あるいは除湿を要求していることを意味している。換言すると、エアコンスイッチがオンされていることは、室内蒸発器１８にて空気を冷却することが要求されていることを意味している。
【０１４０】
ステップＳ３０にて、エアコンスイッチがオンされていないと判定された場合は、ステップＳ４０へ進む。ステップＳ３０にて、エアコンスイッチがオンされていると判定された場合は、ステップＳ７０へ進む。
【０１４１】
ステップＳ４０では、電池８０の加熱が必要であるか否かが判定される。具体的には、本実施形態では、電池温度センサ６８によって検出された電池温度ＴＢが、予め定めた基準加熱温度ＫＴＢ（本実施形態では、１０℃）以下となっている際に、電池８０の加熱が必要であると判定する。電池温度ＴＢが基準加熱温度ＫＴＢよりも高くなっている際に、電池８０の加熱は必要でないと判定する。
【０１４２】
ステップＳ４０にて、電池８０の加熱は必要でないと判定された場合は、ステップＳ５０へ進む。ステップＳ４０にて、電池８０の加熱が必要であると判定された場合は、ステップＳ６０へ進む。
【０１４３】
ステップＳ５０では、冷凍サイクル装置１０を作動させないことが選択される。すなわち、空調も、電池８０の冷却・加熱も行われない。
【０１４４】
ステップＳ６０では、電池加熱単独運転が選択される。電池加熱単独運転では、電池温度センサ６８が検出した電池温度ＴＢに基づいて、（ｆ−１）低圧加熱モード、（ｆ−２）中間圧加熱モード、（ｆ−３）高圧加熱モードのいずれかが選択される。
【０１４５】
電池加熱単独運転では、図７のフローチャートに示す制御プログラムを実行する。ステップＳ１００では、目標電池出口冷媒温度を算出する。目標電池出口冷媒温度は、電池温度センサ６８が検出した電池温度ＴＢに基づいて算出される。冷媒と電池８０との温度差が一定となるような目標電池出口冷媒温度を算出するのが好ましい。
【０１４６】
ステップＳ１１０では、電池加熱モード時に電池出口冷媒温度が目標電池出口冷媒温度となるように、電池加熱モードにおける入口側膨張弁１４ｃおよび出口側膨張弁１４ｄの開度を変更する。
【０１４７】
目標電池出口冷媒温度の代わりに目標電池入口冷媒温度を算出して、電池入口冷媒温度が目標電池入口冷媒温度となるように、入口側膨張弁１４ｃおよび出口側膨張弁１４ｄの開度を変更してもよい。
【０１４８】
図６に示すステップＳ７０では、ステップＳ４０と同様に、電池８０の加熱が必要であるか否かが判定される。ステップＳ７０にて、電池８０の加熱は必要でないと判定された場合は、ステップＳ８０へ進む。ステップＳ７００にて、電池８０の加熱が必要であると判定された場合は、ステップＳ９０へ進む。
【０１４９】
ステップＳ８０では、空調単独運転が選択される。空調単独運転では、外気温Ｔａｍと目標吹出温度ＴＡＯとに基づいて、（ａ）冷房モード、（ｂ）直列除湿暖房モード、（ｃ）並列除湿暖房モード、（ｄ）暖房モードのいずれかが選択される。
【０１５０】
したがって、ステップＳ８０で選択される空調単独運転には、冷房単独運転（換言すれば空気冷却単独運転）、直列除湿暖房単独運転（換言すれば除湿暖房単独運転）、並列除湿暖房単独運転（換言すれば除湿暖房単独運転）および暖房単独運転（換言すれば空気加熱単独運転）がある。
【０１５１】
ステップＳ９０では、空調連携電池加熱運転が選択される。空調連携電池加熱運転では、空調単独運転と同様に、外気温Ｔａｍと目標吹出温度ＴＡＯとに基づいて、（ａ）冷房モード、（ｂ）直列除湿暖房モード、（ｃ）並列除湿暖房モード、（ｄ）暖房モードのいずれかが選択される。さらに、電池温度センサ６８が検出した電池温度ＴＢに基づいて、（ｆ−１）低圧加熱モード、（ｆ−２）中間圧加熱モード、（ｆ−３）高圧加熱モードのいずれかが選択される。
【０１５２】
したがって、ステップＳ９０で選択される空調連携電池加熱運転には、冷房電池加熱運転（換言すれば空気冷却電池加熱運転）、直列除湿暖房電池加熱運転（換言すれば除湿暖房電池加熱運転）、並列除湿暖房電池加熱運転（換言すれば除湿暖房電池加熱運転）、暖房電池加熱運転（換言すれば空気加熱電池加熱運転）がある。
【０１５３】
そして、選択された（ａ）冷房モード、（ｂ）直列除湿暖房モード、（ｃ）並列除湿暖房モード、（ｄ）暖房モードのいずれかの空調運転モードと、（ｆ−１）低圧加熱モード、（ｆ−２）中間圧加熱モード、（ｆ−３）高圧加熱モードのいずれかの電池加熱モードとが所定時間毎に交互に切り替えられる。これにより、空調と電池加熱とが連携して実行される。
【０１５４】
（ｆ−１）低圧加熱モード、（ｆ−２）中間圧加熱モード、（ｆ−３）高圧加熱モードのいずれかの電池加熱モードが実行されている場合、電池加熱単独運転と同様に、図７のフローチャートに示す制御プログラムを実行して、入口側膨張弁１４ｃおよび出口側膨張弁１４ｄの開度を変更する。
【０１５５】
（ｄ）暖房モードと（ｆ−１）低圧加熱モードとが選択された場合、図８のモリエル線図に示すように、冷凍サイクル装置１０の低圧冷媒が室内蒸発器１８と電池冷却器１９とに並列に流入するようにしてもよい。
【０１５６】
制御装置６０は、冷凍サイクル装置１０をこの冷媒回路に切り替えるために、暖房用膨張弁１４ａを全閉状態とし、冷房用膨張弁１４ｂを絞り状態とし、入口側膨張弁１４ｃを絞り状態とし、出口側膨張弁１４ｄを全開状態とし、除湿用開閉弁１５ａを開き、暖房用開閉弁１５ｂを閉じる。
【０１５７】
従って、加熱モードの冷凍サイクル装置１０では、圧縮機１１→水−冷媒熱交換器１２→冷房用膨張弁１４ｂ→室内蒸発器１８→蒸発圧力調整弁２０→アキュムレータ２１→圧縮機１１の順に冷媒が循環するとともに、圧縮機１１→水−冷媒熱交換器１２→入口側膨張弁１４ｃ→電池冷却器１９→出口側膨張弁１４ｄ→蒸発圧力調整弁２０→アキュムレータ２１→圧縮機１１の順に冷媒が循環する蒸気圧縮式の冷凍サイクルが構成される。
【０１５８】
低圧加熱モードでは、高温側熱媒体ポンプ４１を停止させる。したがって、低圧加熱モードでは、水−冷媒熱交換器１２で熱交換が行われない。
【０１５９】
このとき、電池加熱単独運転と同様に、図７のフローチャートに示す制御プログラムを実行して、入口側膨張弁１４ｃおよび出口側膨張弁１４ｄの開度を変更する。これにより、電池冷却器１９に流入する冷媒の温度が電池８０の温度よりも高くなるように、入口側膨張弁１４ｃの開度が変更される。
【０１６０】
つまり、この運転モードでは、図８のモリエル線図に示すように、室内蒸発器１８が、入口側膨張弁１４ｃで減圧された冷媒を放熱させる放熱器として機能し、電池冷却器１９が、入口側膨張弁１４ｃで減圧された冷媒を放熱させる放熱器として機能するホットガスサイクルが構成される。
【０１６１】
この運転モードの車両用空調装置１では、室内蒸発器１８にて加熱された空気を車室内へ吹き出すことによって、車室内の暖房を行うことができる。さらに、電池冷却器１９にて、電池８０の加熱を行うことができる。
【０１６２】
（ｄ）暖房モードと（ｆ−１）低圧加熱モードとが選択された場合、図９のモリエル線図に示すように、冷凍サイクル装置１０の高圧冷媒が水−冷媒熱交換器１２に流入し、冷凍サイクル装置１０の低圧冷媒が電池冷却器１９に流入するようにしてもよい。
【０１６３】
制御装置６０は、冷凍サイクル装置１０をこの冷媒回路に切り替えるために、暖房用膨張弁１４ａを全閉状態とし、冷房用膨張弁１４ｂを全閉状態とし、入口側膨張弁１４ｃを絞り状態とし、出口側膨張弁１４ｄを全開状態とし、除湿用開閉弁１５ａを開き、暖房用開閉弁１５ｂを閉じる。
【０１６４】
従って、加熱モードの冷凍サイクル装置１０では、圧縮機１１→水−冷媒熱交換器１２→入口側膨張弁１４ｃ→電池冷却器１９→出口側膨張弁１４ｄ→蒸発圧力調整弁２０→アキュムレータ２１→圧縮機１１の順に冷媒が循環する蒸気圧縮式の冷凍サイクルが構成される。
【０１６５】
このとき、電池加熱単独運転と同様に、図７のフローチャートに示す制御プログラムを実行して、入口側膨張弁１４ｃおよび出口側膨張弁１４ｄの開度を変更する。これにより、電池冷却器１９に流入する冷媒の温度が電池８０の温度よりも高くなるように、入口側膨張弁１４ｃの開度が変更される。
【０１６６】
つまり、この運転モードでは、図９のモリエル線図に示すように、水−冷媒熱交換器１２が、圧縮機１１から吐出された冷媒を放熱させる放熱器として機能し、電池冷却器１９が、入口側膨張弁１４ｃで減圧された冷媒を放熱させる放熱器として機能するホットガスサイクルが構成される。
【０１６７】
これによれば、水−冷媒熱交換器１２にて、高温側熱媒体を加熱することができる。従って、この運転モードの車両用空調装置１では、ヒータコア４２にて加熱された空気を車室内へ吹き出すことによって、車室内の暖房を行うことができる。さらに、電池冷却器１９にて、電池８０の加熱を行うことができる。
【０１６８】
以上の如く、本実施形態の冷凍サイクル装置１０では、各種運転モードを切り替えることができる。これにより、車両用空調装置１では、電池８０の温度を適切に調整しつつ、車室内の快適な空調を実現することができる。
【０１６９】
本実施形態では、制御装置６０は、電池加熱モードでは、電池８０の温度が高くなるにつれて電池冷却器１９に流入する冷媒の圧力が高くなるように入口側膨張弁１４ｃおよび出口側膨張弁１４ｄを制御する。
【０１７０】
これによると、電池８０の温度が高くなるにつれて電池冷却器１９に流入する冷媒の温度を高くできるので、電池８０との温度差を適切に確保できる。電池冷却器１９に流入する冷媒と電池８０との温度差を適切に確保することにより、圧縮機の仕事量を極力大きくして、電池８０の加熱能力を極力大きくすることができる。
【０１７１】
制御装置６０は、電池加熱モードでは、電池冷却器１９に流入する冷媒と電池８０との温度差が一定とするのが好ましい。
【０１７２】
具体的には、制御装置６０は、電池８０の温度が高くなるにつれて低圧加熱モード、中間圧加熱モード、高圧加熱モードの順に切り替える。これにより、電池８０との温度差を確実に確保できる。
【０１７３】
本実施形態では、制御装置６０は、電池加熱モードでは、電池冷却モードよりも放熱量が少なくなるように高温側熱媒体ポンプ４１を制御する。これにより、電池加熱モードにおいて電池８０を加熱する能力を高めることができる。
【０１７４】
本実施形態では、制御装置６０は、空気加熱単独運転と、電池加熱単独運転と、空気加熱電池加熱モードとを切り替えるように入口側膨張弁１４ｃ、出口側膨張弁１４ｄおよび高温側熱媒体ポンプ４１を制御する。
【０１７５】
これにより、暖房のみと、電池加熱のみと、暖房および電池加熱の両方とを切り替えて行うことができる。
【０１７６】
本実施形態では、制御装置６０は、空気冷却単独運転と、電池加熱単独運転と、空気冷却電池加熱運転とを切り替えるように入口側膨張弁１４ｃ、出口側膨張弁１４ｄおよび冷房用膨張弁１４ｂを制御する。
【０１７７】
これにより、冷房のみと、電池加熱のみと、冷房および電池加熱の両方とを切り替えて行うことができる。
【０１７８】
本実施形態では、制御装置６０は、除湿暖房単独運転と、電池加熱単独運転と、除湿暖房電池加熱運転とを切り替えるように入口側膨張弁１４ｃ、出口側膨張弁１４ｄ、冷房用膨張弁１４ｂおよび高温側熱媒体ポンプ４１を制御する。
【０１７９】
これにより、除湿暖房のみと、電池加熱のみと、除湿暖房および電池加熱の両方とを切り替えて行うことができる。
【０１８０】
（第２実施形態）
上記実施形態では、電池冷却器１９を流通する冷媒によって電池８０を冷却または加熱するが、本実施形態では、図１０に示すように、チラー２５を流通する冷媒で低温側熱媒体回路５０の低温側熱媒体を冷却または加熱し、低温側熱媒体回路５０の低温側熱媒体によって電池８０を冷却または加熱する。
【０１８１】
本実施形態では、入口側膨張弁１４ｃの出口には、チラー２５の入口側が接続されている。チラー２５は、冷媒通路を流通する冷媒を蒸発させて吸熱作用を発揮させることによって低温側熱媒体回路５０の低温側熱媒体を冷却する熱交換器である。チラー２５の出口には、出口側膨張弁１４ｄの入口側が接続されている。
【０１８２】
低温側熱媒体回路５０は、低温側熱媒体を循環させる熱媒体循環回路である。低温側熱媒体としては、高温側熱媒体と同様の流体を採用することができる。低温側熱媒体回路５０には、チラー２５の水通路、低温側熱媒体ポンプ５１、電池冷却器５２、三方弁５３、低温側ラジエータ５４等が配置されている。
【０１８３】
低温側熱媒体ポンプ５１は、低温側熱媒体をチラー２５の水通路の入口側へ圧送する水ポンプである。低温側熱媒体ポンプ５１の基本的構成は、高温側熱媒体ポンプ４１と同様である。
【０１８４】
チラー２５の水通路の出口には、電池冷却器５２の入口側が接続されている。電池冷却器５２は、電池８０を形成する複数の電池セル８１に接触するように配置された金属製の複数の熱媒体流路を有している。そして、熱媒体流路を流通する低温側熱媒体と電池セル８１とを熱交換させることによって、電池８０を冷却する熱交換部である。
【０１８５】
このような電池冷却器５２は、積層配置された電池セル８１同士の間に熱媒体流路を配置することによって形成すればよい。電池冷却器５２は、電池８０に一体的に形成されていてもよい。例えば、積層配置された電池セル８１を収容する専用ケースに熱媒体流路を設けることによって、電池８０に一体的に形成されていてもよい。
【０１８６】
チラー２５および電池冷却器５２は、入口側膨張弁１４ｃから流出した冷媒で電池８０を冷却する電池冷却部である。
【０１８７】
電池冷却器５２の出口には、三方弁５３の流入口側が接続されている。三方弁５３は、１つの流入口と、２つの流出口とを有し、２つの流出口の通路面積比を連続的に調整可能な電気式の三方流量調整弁である。三方弁５３の作動は、制御装置６０から出力される制御信号によって制御される。
【０１８８】
三方弁５３の一方の流出口には、低温側ラジエータ５４の熱媒体入口側が接続されている。三方弁５３の他方の流出口には、低温側熱媒体ポンプ５１の吸入口側が接続されている。従って、三方弁５３は、低温側熱媒体回路５０において、電池冷却器５２から流出した低温側熱媒体のうち、低温側ラジエータ５４へ流入させる低温側熱媒体の流量を連続的に調整する機能を果たしている。
【０１８９】
低温側ラジエータ５４は、電池冷却器５２から流出した冷媒と、図示しない外気ファンにより送風された外気とを熱交換させて、低温側熱媒体の熱を外気に放熱させる熱交換器である。
【０１９０】
低温側ラジエータ５４は、駆動装置室内の前方側に配置されている。このため、車両走行時には、低温側ラジエータ５４に走行風を当てることができる。従って、低温側ラジエータ５４は、室外熱交換器１６等と一体的に形成されていてもよい。低温側ラジエータ５４の熱媒体出口には、低温側熱媒体ポンプ５１の吸入口側が接続されている。
【０１９１】
従って、低温側熱媒体回路５０では、低温側熱媒体ポンプ５１が、電池冷却器５２へ流入する低温側熱媒体の流量を調整することによって、電池冷却器５２における低温側熱媒体が電池８０から奪う吸熱量を調整することができる。つまり、本実施形態では、チラー２５および低温側熱媒体回路５０の各構成機器によって、入口側膨張弁１４ｃから流出した冷媒を蒸発させて、電池８０を冷却する冷却部が構成されている。
【０１９２】
制御装置６０の入力側には、第１低温側熱媒体温度センサ６７ａおよび第２低温側熱媒体温度センサ６７ｂが接続されている。制御装置６０には、第１、第２低温側熱媒体温度センサ６７ａ、６７ｂの検出信号が入力される。
【０１９３】
第１低温側熱媒体温度センサ６７ａは、チラー２５の水通路から流出した低温側熱媒体の温度である第１低温側熱媒体温度ＴＷＬ１を検出する第１低温側熱媒体温度検出部である。第２低温側熱媒体温度センサ６７ｂは、チラー２５から流出した低温側熱媒体の温度である第２低温側熱媒体温度ＴＷＬ２を検出する第２低温側熱媒体温度検出部である。
【０１９４】
本実施形態では、チラー２５で温度調整された低温側熱媒体によって電池８０を温度調整できるので、上記実施形態と同様の運転モードを実行することができ、ひいては上記実施形態と同様の作用効果を奏することができる。
【０１９５】
（第３実施形態）
上記実施形態の冷凍サイクル装置１０は、冷房モードの冷媒回路、除湿暖房モードの冷媒回路、暖房モードの冷媒回路等を切替可能に構成されているが、本実施形態の冷凍サイクル装置１０は、図１１に示すように、冷房モードの冷媒回路を実行可能になっている。
【０１９６】
本実施形態の冷凍サイクル装置１０は、圧縮機１１、室外熱交換器１６、第５三方継手１３ｅ、冷房用膨張弁１４ｂ、室内蒸発器１８、第６三方継手１３ｆ、入口側膨張弁１４ｃ、電池冷却器１９、出口側膨張弁１４ｄ、アキュムレータ２１を備えている。
【０１９７】
室内空調ユニット３０の空調ケース３１内には加熱部３６が設けられている。加熱部は、冷凍サイクル装置１０の冷媒以外を熱源として、室内蒸発器１８を通過した空気を加熱する。加熱部は、例えば電力を熱源とする電気ヒータである。加熱部３６は、車両に搭載された各種機器の排熱を熱源とするヒータコアであってもよい。
【０１９８】
室内蒸発器１８を通過した空気を加熱部で加熱することによって、暖房および除湿暖房を行うことができる。
【０１９９】
さらに、上記第１実施形態と同様の冷却モード、加熱モード（低圧加熱モード、中間圧加熱モード、高圧加熱モード）を実行可能になっている。
【０２００】
したがって、本実施形態においても、上記第１実施形態と同様に、空調単独運転と空調連携電池加熱運転と電池単独運転とを行うことができる。
【０２０１】
（他の実施形態）
上述の実施形態に限定されることなく、以下のように種々変形可能である。上記各実施形態に開示された手段は、実施可能な範囲で適宜組み合わせてもよい。
【０２０２】
（１）第１実施形態では、複数の空調運転モードに切り替え可能な冷凍サイクル装置１０について説明したが、冷凍サイクル装置１０の空調運転モードの切り替えはこれに限定されない。
【０２０３】
例えば、冷却対象物の温度を適切に調整しつつ、空気の温度を幅広い範囲で連続的に調整するためには、少なくとも直列除湿暖房モードに切り替え可能であればよい。望ましくは、上記４つの運転モードに加えて、冷房モードおよび暖房モードの運転モードに切り替え可能であればよい。
【０２０４】
（２）冷凍サイクル装置の構成機器は、上述の実施形態に開示されたものに限定されない。上述した効果を発揮できるように、複数のサイクル構成機器を一体化等を行ってもよい。例えば、第１実施形態において、第２三方継手１３ｂと第５三方継手１３ｅとを一体化させた四方継手構造のものを採用してもよい。冷房用膨張弁１４ｂおよび入口側膨張弁１４ｃとして、全閉機能を有しない電気式膨張弁と開閉弁とを直接的に接続したものを採用してもよい。
【０２０５】
上述の実施形態では、冷媒としてＲ１２３４ｙｆを採用した例を説明したが、冷媒はこれに限定されない。例えば、Ｒ１３４ａ、Ｒ６００ａ、Ｒ４１０Ａ、Ｒ４０４Ａ、Ｒ３２、Ｒ４０７Ｃ、等を採用してもよい。これらの冷媒のうち複数種を混合させた混合冷媒等を採用してもよい。さらに、冷媒として二酸化炭素を採用して、高圧側冷媒圧力が冷媒の臨界圧力以上となる超臨界冷凍サイクルを構成してもよい。
【０２０６】
（３）加熱部の構成は、上述の実施形態に開示されたものに限定されない。例えば、第１実施形態で説明した高温側熱媒体回路４０に対して、第２実施形態で説明した低温側熱媒体回路５０の三方弁５３および低温側ラジエータ５４と同様の三方弁および高温側ラジエータを追加し、余剰の熱を外気に放熱させるようにしてもよい。さらに、ハイブリッド車両のようにエンジン（換言すれば内燃機関）を備える車両では、高温側熱媒体回路４０にエンジン冷却水を循環させるようにしてもよい。
【０２０７】
例えば、水−冷媒熱交換器１２およびヒータコア４２の代わりに室内凝縮器を備えていてもよい。室内凝縮器は、室内空調ユニット３０の空調ケース３１内に収容されて、圧縮機１１から吐出された高圧冷媒と、室内蒸発器１８通過後の空気とを熱交換させて、空気を加熱する加熱用の熱交換器である。この場合、エアミックスドア３４は、室内凝縮器における冷媒からの放熱量を調整する放熱量調整部として機能する。
【０２０８】
（４）冷却部の構成は、上述の実施形態に開示されたものに限定されない。例えば、冷却部として、第２実施形態で説明した低温側熱媒体回路５０のチラー２５を凝縮部とし、電池冷却器５２を蒸発部として機能させるサーモサイフォンを採用してもよい。これによれば、低温側熱媒体ポンプ５１を廃止することができる。
【０２０９】
サーモサイフォンは、冷媒を蒸発させる蒸発部と冷媒を凝縮させる凝縮部とを有し、蒸発部と凝縮部とを閉ループ状に（すなわち、環状に）接続することによって構成されている。そして、蒸発部における冷媒の温度と凝縮部における冷媒の温度との温度差によって回路内の冷媒に比重差を生じさせ、重力の作用によって冷媒を自然循環させて、冷媒とともに熱を輸送する熱輸送回路である。
【０２１０】
（５）上述の各実施形態では、冷凍サイクル装置１０を車両用空調装置１に適用したが、冷凍サイクル装置１０の適用はこれに限定されない。例えば、コンピューターサーバーの温度を適切に調整しつつ、室内の空調を行うサーバー冷却機能付きの空調装置等に適用してもよい。
【０２１１】
（６）上述の各実施形態では、室内蒸発器１８は、車室内最前部の計器盤の内側に配置された室内空調ユニット３０の空調ケース３１内に収容されているが、室内蒸発器１８は、車室内の後席側空間を空調する後席側空調ユニットの空調ケース内に収容されていてもよい。
【０２１２】
（７）上述の各実施形態の冷凍サイクル装置１０において、排熱回収用熱交換器が室内蒸発器１８と並列に配置されていてもよい。排熱回収用熱交換器は、車両に搭載された各種機器の排熱を冷媒に吸熱させる熱交換器である。
【符号の説明】
【０２１３】
１１    圧縮機
１２    水−冷媒熱交換器（放熱部）
１４ｂ  冷房用膨張弁（空気冷却用減圧部）
１４ｃ  入口側膨張弁（入口側減圧部）
１４ｄ  出口側膨張弁（出口側減圧部）
１９    電池冷却器（電池冷却部）
２５    チラー（電池冷却部）
４１    高温側熱媒体ポンプ（放熱量調整部）
４２    ヒータコア（放熱部）
【図１】
2020122621.tif 000003
【図２】
2020122621.tif 000004
【図３】
2020122621.tif 000005
【図４】
2020122621.tif 000006
【図５】
2020122621.tif 000007
【図６】
2020122621.tif 000008
【図７】
2020122621.tif 000009
【図８】
2020122621.tif 000010
【図９】
2020122621.tif 000011
【図１０】
2020122621.tif 000012
【図１１】
2020122621.tif 000013